(57)【要約】【課題】設置場所の内外水位の状況や出水状況などに応じて、止水ゲート扉体に対する排水ポンプと逆流防止弁の着脱を選択して行なうことで、本来の機能を喪失することなく設備コストの低減を図れるポンプゲートを提供する。【解決手段】逆流防止弁付設排水ポンプ５のポンプケーシング６先端吸込口６Ａ側に角形鍔状の係止部１０を設け、止水ゲート扉体３の外水域２に臨む面には、係止部１０の係脱が可能な係合溝１１，１１を設けて、係止部１０と係合溝１１，１１とでポンプ着脱手段１３Ａを構成し、排水ポンプ５の着脱を可能にする。また、逆流防止弁７０を別途構成し、このケーシング７Ａの先端部に設けた係止部１０Ａと前記係合溝１１，１１とで逆流防止弁着脱手段１３Ｂを構成して、逆流防止弁７０の着脱を可能にする。前記着脱手段１３Ａと着脱手段１３Ｂとで弁・ポンプ着脱手段１３を構成する。【選択図】　　　　図２
2004027520.tif 000002
【特許請求の範囲】
【請求項１】
上流側の水域と下流側の水域の境界部にゲート脚が立設され、このゲート脚の下端部に開口した呑口が開閉される止水ゲート扉体を昇降可能に設け、この止水ゲート扉体の通水孔に対応して排水ポンプが装着されているポンプゲートにおいて、前記通水孔に連通して前記上流側の水域から下流側の水域への通水を許容し下流側の水域から上流側の水域への逆流を防止する逆流防止弁または逆流防止弁付設排水ポンプのいずれか一方を着脱可能に装着できる弁・ポンプ着脱手段が前記止水ゲート扉体と逆流防止弁および逆流防止弁付設排水ポンプの三者に分割して設けられていることを特徴とするポンプゲート。
【請求項２】
上流側の水域と下流側の水域の境界部にゲート脚が立設され、このゲート脚の下端部に開口した呑口が開閉される止水ゲート扉体を昇降可能に設け、この止水ゲート扉体の通水孔に対応して排水ポンプが装着されているポンプゲートにおいて、前記通水孔に前記上流側の水域から下流側の水域への通水を許容し下流側の水域から上流側の水域への逆流を防止する逆流防止弁が設置され、前記排水ポンプを前記通水孔に連通して着脱可能に装着できるポンプ着脱手段が前記止水ゲート扉体と排水ポンプの両者に分割して設けられていることを特徴とするポンプゲート。
【発明の詳細な説明】
【０００１】
【発明の属する技術分野】
本発明は、ポンプゲートに関するものである。
【０００２】
【従来の技術】
従来より、図１１に示す内水域１と外水域２の境界部にコンクリート製のゲート脚４を立設し、このゲート脚４の下端部に開口した呑口４Ａが開閉される止水ゲート扉体３を昇降可能に設け、この止水ゲート扉体３に、たとえばアウターロータ型横軸水中ポンプによってなる排水ポンプ５を、ポンプケーシング６を介して装着したポンプゲート８が知られている。
【０００３】
排水ポンプ５は、横軸方向の両端部を開口したポンプケーシング６に内蔵されており、このポンプケーシング６が止水ゲート扉体３を厚さ方向に貫通して設けた通水孔３Ａに嵌合された状態で止水ゲート扉体３に装着されている。そして、ポンプケーシング６の先端吸込口６Ａは内水域１に臨ませ、後端吐出口６Ｂは外水域２に臨ませるとともに、内水域１から外水域２への水の流れを許容し、かつ外水域２から内水域１への水の流れ（逆流）を止めるように開閉するフラップ弁（逆流防止弁）７を取付けてある。
【０００４】
この種のポンプゲート８によれば、上側に設けた開閉手段（図示省略）により、スピンドル９を介して止水ゲート扉体３を下降させた呑口４Ａの全閉状態で排水ポンプ５を運転することにより、内水域１の水は、ポンプケーシング６の吸込口６Ａから吸込まれ、その水圧によりフラップ弁７を押し開けて外水域２に吐出（排水）される。また、止水ゲート扉体３による呑口４Ａの全閉状態で排水ポンプ５の運転を停止すると、内水域１から外水域２への排水が停止されるとともに、フラップ弁７はその自重と外水域２の水圧との複合的な作用で自動的に閉じられ、外水域２の水位が内水域１の水位より高くても、外水域２から内水域１への逆流を防止できる。さらに、内水域１の水位が外水域２の水位より高い場合には、図示していない開閉手段によりスピンドル９を介して止水ゲート扉体３を吊り上げて、呑口４Ａを全開することによって、内水域１の水を外水域２に自然流下（自然排水）させることができる。なお、図１１では、止水ゲート扉体３に設けた一つの通水孔３Ａに排水ポンプ５を内蔵したポンプケーシング６が嵌合されている構造のポンプゲート８を示しているが、止水ゲート扉体３に設けた複数（たとえば二つ）の通水孔３Ａのそれぞれに排水ポンプ５を内蔵したポンプケーシング６が嵌合されている構造のポンプゲート８も存在している。
【０００５】
【発明が解決しようとする課題】
ところで、従来のポンプゲート８における止水ゲート扉体３には、通水孔３Ａと同数の横軸水中ポンプ５が装着されている。つまり、ポンプゲート８の設置場所によって内外水位の状況や出水状況などが異なるにもかかわらず、止水ゲート扉体３の通水孔３Ａにポンプケーシング６を介して排水ポンプ５が装着されている。
【０００６】
このように、止水ゲート扉体３の通水孔３Ａにポンプケーシング６を介して排水ポンプ５が装着されているポンプゲート８であっても、排水中ポンプ５の運転を必要とする内外水位の状況や出水状況の場所に設置されておれば、排水ポンプ５を有効に利用できるので無駄が生じることはない。しかし、排水ポンプ５の運転が不要な内外水位の状況や出水状況の場所に設置されておれば、排水ポンプ５は有効利用されることなく殆ど放置されたままになる無駄が生じて、ポンプゲート８の設備コストが排水ポンプ５の使用台数に相当して高騰することになる。
【０００７】
今、止水ゲート扉体３に一つの通水孔３Ａが設けられ、この通水孔３Ａにポンプケーシング６を介して排水ポンプ５を嵌合したポンプゲート８が５箇所に分散して設置されている状態で、排水ポンプ５の運転を必要とする内外水位の状況や出水状況の場所が３箇所であり、排水ポンプ５の運転を不要とする内外水位の状況や出水状況の場所が２箇所であると仮定した場合、従来のポンプゲート８では、５台の排水ポンプ５が使用されているものの、そのうちの２台の排水ポンプ５は、有効利用されることなく殆ど放置されたままになる。
【０００８】
このような無駄を解消して、ポンプゲート８の設備コストを低減するためには、前記２箇所に設置されているポンプゲート８における止水ゲート扉体３から排水ポンプ５を除去すればよいと思われる。ところが、前記５箇所に分散しているポンプゲート設置場所の内外水位の状況や出水状況が逆転して、たとえば、排水ポンプ５が装着されている前記３箇所のポンプゲート８では排水ポンプ５の運転が不要になり、逆に排水ポンプ５が除去されている前記２箇所のポンプゲート８では排水ポンプ５の運転が必要になると、３箇所のポンプゲート８において３台の排水ポンプ５が有効利用されることなく殆ど放置されることになり、２箇所のポンプゲート８では、止水ゲート扉体３による呑口４Ａの全閉状態での内水域１から外水域２への強制排水機能を発揮することができないばかりか、外水域２の水位が内水域１の水位より高くなっても、外水域２から内水域１への逆流を防止する機能を発揮することもできなくなって、ポンプゲート８本来の機能が喪失される。
【０００９】
本発明は、このような事情に鑑みてなされたもので、設置場所の内外水位の状況や出水状況などに応じて、止水ゲート扉体に対する排水ポンプと逆流防止弁の着脱または排水ポンプのみの着脱を選択して行なうことで、ポンプゲート本来の機能を喪失することなく設備コストの低減を図れるポンプゲートを提供することを目的としている。
【００１０】
【課題を解決するための手段】
前記目的を達成するために、請求項１に記載の発明に係るポンプゲートは、上流側の水域と下流側の水域の境界部にゲート脚が立設され、このゲート脚の下端部に開口した呑口が開閉される止水ゲート扉体を昇降可能に設け、この止水ゲート扉体の通水孔に対応して排水ポンプが装着されているポンプゲートにおいて、前記通水孔に連通して前記上流側の水域から下流側の水域への通水を許容し下流側の水域から上流側の水域への逆流を防止する逆流防止弁または逆流防止弁付設排水ポンプのいずれか一方を着脱可能に装着できる弁・ポンプ着脱手段が前記止水ゲート扉体と逆流防止弁および逆流防止弁付設排水ポンプの三者に分割して設けられていることを特徴としている。
【００１１】
また、前記目的を達成するために、請求項２に記載の発明に係るポンプゲートは、上流側の水域と下流側の水域の境界部にゲート脚が立設され、このゲート脚の下端部に開口した呑口が開閉される止水ゲート扉体を昇降可能に設け、この止水ゲート扉体の通水孔に対応して排水ポンプが装着されているポンプゲートにおいて、前記通水孔に前記上流側の水域から下流側の水域への通水を許容し下流側の水域から上流側の水域への逆流を防止する逆流防止弁が設置され、前記排水ポンプを前記通水孔に連通して着脱可能に装着できるポンプ着脱手段が前記止水ゲート扉体と排水ポンプの両者に分割して設けられていることを特徴としている。
【００１２】
請求項１に記載の発明によれば、ポンプゲートが設置される場所の内外水位の状況や出水状況などに応じて、弁・ポンプ着脱手段により止水ゲート扉体に対する逆流防止弁付設排水ポンプと独立した逆流防止弁の着脱を選択して容易に行なうことができる。すなわち、排水ポンプの運転を必要とする内外水位の状況や出水状況の場所に設置されているポンプゲートの止水ゲート扉体に対して逆流防止弁付設排水ポンプを容易に装着することができるとともに、排水ポンプの運転が不要な内外水位の状況や出水状況の場所に設置されているポンプゲートの止水ゲート扉体に対して独立した逆流防止弁を容易に装着することができる。また、止水ゲート扉体に独立した逆流防止弁が装着されているポンプゲートでは、独立した逆流防止弁の逆流防止作用によって、下流側の水域から上流側の水域への逆流を防止することができる。
【００１３】
請求項２に記載の発明によれば、ポンプゲートが設置される場所の内外水位の状況や出水状況などに応じて、ポンプ着脱手段により止水ゲート扉体に対する排水ポンプの着脱を選択して容易に行なうことができる。すなわち、排水ポンプの運転を必要とする内外水位の状況や出水状況の場所に設置されているポンプゲートの止水ゲート扉体に対して排水ポンプを容易に装着することができるとともに、排水ポンプの運転が不要な内外水位の状況や出水状況の場所に設置されているポンプゲートの止水ゲート扉体から排水ポンプを容易に取り外すことができる。また、排水ポンプが取り外されているポンプゲートであっても、通水孔に設置されている逆流防止弁の逆流防止作用により、下流側の水域から上流側の水域への逆流を防止することができる。
【００１４】
【発明の実施の形態】
以下、本発明の実施の形態を図面に基づいて説明する。図１は請求項１に記載の発明に逆流防止弁付設排水ポンプが装着された状態の一実施の形態を示す縦断側面図、図２は図１の止水ゲート扉体と排水ポンプとの分離状態を示す斜視図、図３は請求項１に記載の発明に逆流防止弁が装着された状態の一実施の形態を示す縦断側面図、図４は図３の止水ゲート扉体と逆流防止弁との分離状態を示す斜視図である。なお、前記図１１の従来例と同一もしくは相当部分には、同一符号を付して重複する構造および作用の説明は省略する。
【００１５】
図１および図２において、ポンプケーシング６の出口にフラップ弁７を設けて、逆流防止弁付設排水ポンプ５が構成されており、ポンプケーシング６の先端吸込口６Ａ側には角形鍔状に張り出す係止部１０が設けられ、止水ゲート扉体３の外水域２に臨む面には、係止部１０の係脱が可能な縦方向にのびて横方向で対向する係合溝１１，１１を設け、係止部１０と係合溝１１，１１とでポンプ着脱手段１３Ａを構成している。
【００１６】
角形鍔状の係止部１０の外形寸法と肉厚は、前記係合溝１１，１１に昇降可能に嵌合し得る値に設定され、ポンプケーシング６は、その先端吸込口６Ａ側を係止部１０に設けた貫通孔１０ａに水密に嵌合して、該先端吸込口６Ａを係止部１０の裏側に開口させてある。したがって、図２のように、角形鍔状の係止部１０の幅方向の両端部を係合溝１１，１１の上端部に対応させたのち、ポンプケーシング６を下降させることで、係止部１０の幅方向の両端部が係合溝１１，１１に嵌合される。これにより、ポンプケーシング６は、図１のように、先端吸込口６Ａが止水ゲート扉体３の通水孔３Ａに通水可能に合致した状態で該止水ゲート扉体３に装着される。
【００１７】
角形鍔状の係止部１０における幅方向の両端部には、クサビ体１２，１２が設けられている。このため、これらクサビ体１２，１２が図５のように係合溝１１，１１の内面１１Ａに摺接干渉して、ポンプケーシング６の先端吸込口６Ａを止水ゲート扉体３の方向に押圧する。したがって、ポンプケーシング６の先端吸込口６Ａと止水ゲート扉体３との通水可能な水密性、詳しくは、先端吸込口６Ａとこれに合致する通水孔３Ａとの間の通水可能な水密性を高めることができる。なお、図６に示すように、角形鍔状の係止部１０における幅方向の両端部（ただし、図６には係止部１０における幅方向の一端部のみが示されている）と、係合溝１１の両者を下向きに漸次細くなるクサビ状に形成しても、係合溝１１の内面１１Ａに係止部１０における幅方向両端部の外面１０Ｃが摺接干渉して、ポンプケーシング６の先端吸込口６Ａを止水ゲート扉体３の方向に押圧して、先端吸込口６Ａと通水孔３Ａとの間の通水可能な水密性を高めることができる。
【００１８】
図３および図４において、軸方向の両端部を開口したケーシング７Ａの後端部にフラップ弁７を設けて、独立した逆流防止弁７０が構成されており、ケーシング７Ａの先端部には，止水ゲート扉体３に設けた前記係合溝１１，１１に係脱可能な角形鍔状に張り出す係止部１０Ａが設けられ、係止部１０Ａと係合溝１１，１１とで逆流防止弁着脱手段１３Ｂを構成している。すなわち、図１，図２のポンプ着脱手段１３Ａと図３，図４の逆流防止弁着脱手段１３Ｂとで弁・ポンプ着脱手段１３が構成される。
【００１９】
角形鍔状の係止部１０Ａの外形寸法と肉厚は、前記係合溝１１，１１に昇降可能に嵌合し得る値に設定され、ケーシング７Ａは、その先端部を係止部１０Ａに設けた貫通孔１０ｂに水密に嵌合して、該先端部を係止部１０Ａの裏側に開口させてある。したがって、図４のように、角形鍔状の係止部１０Ａの幅方向の両端部を係合溝１１，１１の上端部に対応させたのち、ケーシング７Ａを下降させることで、係止部１０Ａの幅方向の両端部が係合溝１１，１１に嵌合される。これにより、独立した逆流防止弁７０は、図３のように、ケーシング７Ａの先端部が止水ゲート扉体３の通水孔３Ａに通水可能に合致した状態で該止水ゲート扉体３に装着される。
【００２０】
角形鍔状の係止部１０Ａにおける幅方向の両端部には、クサビ体１２，１２が設けられている。このため、これらクサビ体１２，１２が図５のように係合溝１１，１１の内面１１Ａに摺接干渉して、ケーシング７Ａの先端部を止水ゲート扉体３の方向に押圧する。したがって、ケーシング７Ａの先端部と止水ゲート扉体３との通水可能な水密性、詳しくは、先端部とこれに合致する通水孔３Ａとの間の通水可能な水密性を高めることができる。なお、図６に示すように、角形鍔状の係止部１０Ａにおける幅方向の両端部（ただし、図６には係止部１０Ａにおける幅方向の一端部のみが示されている）と、係合溝１１の両者を下向きに漸次細くなるクサビ状に形成しても、係合溝１１の内面１１Ａに係止部１０Ａにおける幅方向両端部の外面１０Ｃが摺接干渉して、ケーシング７Ａの先端部を止水ゲート扉体３の方向に押圧して、先端部と通水孔３Ａとの間の通水可能な水密性を高めることができる。
【００２１】
このような構成であれば、ポンプゲート８が設置される場所の内外水位の状況や出水状況などに応じて、弁・ポンプ着脱手段１３により止水ゲート扉体３に対する逆流防止弁付設排水ポンプ５と独立した逆流防止弁７０の着脱を選択して容易に行なうことができる。すなわち、排水ポンプの運転を必要とする内外水位の状況や出水状況の場所に設置されているポンプゲート８の止水ゲート扉体３に対しては、図１のように逆流防止弁付設排水ポンプ５を容易に装着することができるとともに、排水ポンプの運転が不要な内外水位の状況や出水状況の場所に設置されているポンプゲート８の止水ゲート扉体３に対しては、図３のように独立した逆流防止弁７０を容易に装着することができる。また、止水ゲート扉体３に独立した逆流防止弁７０が装着されているポンプゲート８では、独立した逆流防止弁７０の逆流防止作用により、下流側の水域２から上流側の水域１への逆流を防止することができる。つまり、ポンプゲート８が設置される場所の内外水位の状況や出水状況などに応じて、止水ゲート扉体３に対する逆流防止弁付設排水ポンプ５と独立した逆流防止弁７０の着脱を選択して容易に行なうことができる。
【００２２】
たとえば、ポンプゲート８が５箇所に分散して設置されている状態で、排水ポンプの運転を必要とする内外水位の状況や出水状況の場所が３箇所であり、排水ポンプの運転を不要とする内外水位の状況や出水状況の場所が２箇所であれば、前記３箇所に設置されているポンプゲート８における止水ゲート扉体３に逆流防止弁付設排水ポンプ５を装着し、前記２箇所に設置されているポンプゲート８における止水ゲート扉体３には独立した逆流防止弁７０を装着すればよい。これによって、ポンプゲート８本来の機能を喪失することなく逆流防止弁付設排水ポンプの使用台数を３台に削減することができるので、５箇所に分散して設置されているポンプゲート８の設備コストをおおよそ逆流防止弁付設排水ポンプ５の使用台数削減分に相当して低減することができる。
【００２３】
一方、前記５箇所に分散しているポンプゲート設置場所の内外水位の状況や出水状況が逆転して、たとえば、逆流防止弁付設排水ポンプ５が装着されている前記３箇所のポンプゲート８ではポンプの運転が不要になり、逆に独立した逆流防止弁７０が装着されている前記２箇所のポンプゲート８ではポンプの運転が必要になると、前記３箇所に設置されているポンプゲート８における止水ゲート扉体３から逆流防止弁付設排水ポンプ５を取り外し、代わりに独立した逆流防止弁７０を装着するとともに、前記２箇所に設置されているポンプゲート８における止水ゲート扉体３から独立した逆流防止弁７０を取り外し、代わりに逆流防止弁付設排水ポンプ５を装着すればよい。これによって、ポンプゲート８本来の機能を喪失することなく逆流防止弁付設排水ポンプ５の使用台数を２台に削減することができるので、５箇所に分散して設置されているポンプゲート８の設備コストをおおよそ逆流防止弁付設排水ポンプ５の使用台数削減分に相当して低減することができる。
【００２４】
つぎに、請求項２に記載の発明の実施の形態を図面に基づいて説明する。図７は請求項２に記載の発明に排水ポンプが装着された状態の一実施の形態を示す縦断側面図、図８は図７の止水ゲート扉体と排水ポンプとの分離状態を示す斜視図、図９は請求項２に記載の発明に逆流防止弁が装着された状態の一実施の形態を示す縦断側面図、図１０は図９の止水ゲート扉体を示す斜視図である。なお、前記図１〜図４の請求項１に記載の発明と同一もしくは相当部分には、同一符号を付して説明する。
【００２５】
図７〜図１０において、止水ゲート扉体３の通水孔３Ａには、外水域２から内水域１への水の流れ（逆流）を止めるように開閉するフラップ弁（逆流防止弁）７を取付けてある。また、排水ポンプ５を内蔵しているポンプケーシング６の後端吐出口６Ｂ側には角形鍔状に張り出す係止部１０が設けられ、止水ゲート扉体３の内水域１に臨む面には、係止部１０の係脱が可能な縦方向にのびて横方向で対向する係合溝１１，１１を設け、係止部１０と係合溝１１，１１とでポンプ着脱手段１３Ａを構成している。
【００２６】
角形鍔状の係止部１０の外形寸法と肉厚は、前記係合溝１１，１１に昇降可能に嵌合し得る値に設定され、ポンプケーシング６は、その後端吐出口６Ｂ側を係止部１０に設けた貫通孔１０ａに水密に嵌合して、該後端吐出口６Ｂを係止部１０の裏側に開口させてある。したがって、図８のように、角形鍔状の係止部１０の幅方向の両端部を係合溝１１，１１の上端部に対応させたのち、ポンプケーシング６を下降させることで、係止部１０の幅方向の両端部が係合溝１１，１１に嵌合される。これにより、ポンプケーシング６は、図７のように、後端吐出口６Ｂが止水ゲート扉体３の通水孔３Ａに通水可能に合致した状態で該止水ゲート扉体３に装着される。
【００２７】
角形鍔状の係止部１０における幅方向の両端部には、クサビ体１２，１２が設けられている。このため、これらクサビ体１２，１２が図５のように係合溝１１，１１の内面１１Ａに摺接干渉して、ポンプケーシング６の後端吐出口６Ｂを止水ゲート扉体３の方向に押圧する。したがって、ポンプケーシング６の後端吐出口６Ｂと止水ゲート扉体３との通水可能な水密性、詳しくは、後端吐出口６Ｂとこれに合致する通水孔３Ａとの間の通水可能な水密性を高めることができる。なお、図６に示すように、角形鍔状の係止部１０における幅方向の両端部（ただし、図６には係止部１０における幅方向の一端部のみが示されている）と、係合溝１１の両者を下向きに漸次細くなるクサビ状に形成しても、係合溝１１の内面１１Ａに係止部１０における幅方向両端部の外面１０Ｃが摺接干渉して、ポンプケーシング６の後端吐出口６Ｂを止水ゲート扉体３の方向に押圧して、後端吐出口６Ｂと通水孔３Ａとの間の通水可能な水密性を高めることができる。
【００２８】
このような構成であれば、ポンプゲート８が設置される場所の内外水位の状況や出水状況などに応じて、ポンプ着脱手段１３Ａにより止水ゲート扉体３に対する排水ポンプ５の着脱を選択して容易に行なうことができる。すなわち、排水ポンプの運転を必要とする内外水位の状況や出水状況の場所に設置されているポンプゲート８の止水ゲート扉体３に対しては、図７のように排水ポンプ５を容易に装着することができるとともに、排水ポンプの運転が不要な内外水位の状況や出水状況の場所に設置されているポンプゲート８の止水ゲート扉体３に対しては、排水ポンプ５を容易に取り外すことができる。また、排水ポンプ５が取り外されているポンプゲート８であっても、通水孔３Ａに設置されている逆流防止弁７の逆流防止作用により、下流側の水域２から上流側の水域１への逆流を防止することができる。つまり、ポンプゲート８が設置される場所の内外水位の状況や出水状況などに応じて、止水ゲート扉体３に対する排水ポンプ５の着脱を選択して容易に行なうことができる。
【００２９】
たとえば、ポンプゲート８が５箇所に分散して設置されている状態で、排水ポンプの運転を必要とする内外水位の状況や出水状況の場所が３箇所であり、排水ポンプの運転を不要とする内外水位の状況や出水状況の場所が２箇所であれば、前記３箇所に設置されているポンプゲート８における止水ゲート扉体３に排水ポンプ５を装着し、前記２箇所に設置されているポンプゲート８における止水ゲート扉体３には、排水ポンプ５を装着しなければよい。これによって、ポンプゲート８本来の機能を喪失することなく排水ポンプの使用台数を３台に削減することができるので、５箇所に分散して設置されているポンプゲート８の設備コストをおおよそ排水ポンプ５の使用台数削減分に相当して低減することができる。
【００３０】
一方、前記５箇所に分散しているポンプゲート設置場所の内外水位の状況や出水状況が逆転して、たとえば、排水ポンプ５が装着されている前記３箇所のポンプゲート８ではポンプの運転が不要になり、逆に排水ポンプ５が装着されていない前記２箇所のポンプゲート８ではポンプの運転が必要になると、前記３箇所に設置されているポンプゲート８における止水ゲート扉体３から排水ポンプ５を取り外し、代わりに前記２箇所に設置されているポンプゲート８における止水ゲート扉体３に排水ポンプ５を装着すればよい。これによって、ポンプゲート８本来の機能を喪失することなく排水ポンプ５の使用台数を２台に削減することができるので、５箇所に分散して設置されているポンプゲート８の設備コストをおおよそ排水ポンプ５の使用台数削減分に相当して低減することができる。
【００３１】
【発明の効果】
以上説明したように、本発明に係るポンプゲートは構成されているので、以下のような格別の効果を奏する。
【００３２】
すなわち、請求項１に記載の発明によれば、ポンプゲートが設置される場所の内外水位の状況や出水状況などに応じて、止水ゲート扉体に対する逆流防止弁付設排水ポンプと独立した逆流防止弁の着脱を選択して行なうことができることにより、ポンプゲート本来の機能を喪失することなく逆流防止弁付設排水ポンプの使用台数を削減することができるので、複数箇所に分散して設置されているポンプゲートの設備コストをおおよそ逆流防止弁付設排水ポンプの使用台数削減分に相当して低減することができる。
【００３３】
また、請求項２に記載の発明によれば、ポンプゲートが設置される場所の内外水位の状況や出水状況などに応じて、止水ゲート扉体に対する排水ポンプの着脱を選択して行なうことができることにより、ポンプゲート本来の機能を喪失することなく排水ポンプの使用台数を削減することができるので、複数箇所に分散して設置されているポンプゲートの設備コストをおおよそ排水ポンプの使用台数削減分に相当して低減することができる。
【図面の簡単な説明】
【図１】請求項１に記載の発明に逆流防止弁付設排水ポンプが装着された状態の一実施の形態を示す縦断側面図である。
【図２】図１の止水ゲート扉体と排水ポンプとの分離状態を示す斜視図である。
【図３】請求項１に記載の発明に逆流防止弁が装着された状態の一実施の形態を示す縦断側面図である。
【図４】図３の止水ゲート扉体と逆流防止弁との分離状態を示す斜視図である。
【図５】止水構造の一例を部分的に示す縦断側面図である。
【図６】止水構造の他の例を部分的に示す縦断側面図である。
【図７】請求項２に記載の発明に排水ポンプが装着された状態の一実施の形態を示す縦断側面図である。
【図８】図７の止水ゲート扉体と排水ポンプとの分離状態を示す斜視図である。
【図９】請求項２に記載の発明に逆流防止弁が装着された状態の一実施の形態を示す縦断側面図である。
【図１０】図９の止水ゲート扉体を示す斜視図である。
【図１１】従来例の縦断側面図である。
【符号の説明】
１　内水域（上流側の水域）
２　外水域（下流側の水域）
３　止水ゲート扉体
４　ゲート脚
４Ａ　呑口
５　逆流防止弁付設排水ポンプ（排水ポンプ）
７　フラップ弁（逆流防止弁）
８　ポンプゲート
１３　弁・ポンプ着脱手段
１３Ａ　ポンプ着脱手段
１３Ｂ　逆流防止弁着脱手段
７０　独立した逆流防止弁（逆流防止弁）
【図１】
2004027520.tif 000003
【図２】
2004027520.tif 000004
【図３】
2004027520.tif 000005
【図４】
2004027520.tif 000006
【図５】
2004027520.tif 000007
【図６】
2004027520.tif 000008
【図７】
2004027520.tif 000009
【図８】
2004027520.tif 000010
【図９】
2004027520.tif 000011
【図１０】
2004027520.tif 000012
【図１１】
2004027520.tif 000013